(57)【要約】【課題】  複数の導光路を短時間で正確に形成し、製造コストを低減することができる導光路の製造装置及びその製造方法を提供する。【解決手段】  下側クラッド２１とコア型２２の間に未硬化の液状ＵＶ硬化樹脂２４を配置し、加圧装置１３でコア形成ユニット１１に予圧を与え、コア部の空気を抜くため装置内を減圧する。そして、押圧装置１５によってコア型２２の変形部を連続的に移動させてコア形成部２３の断面積を順次変化させ、断面積が小さくなるときの圧力差で液状ＵＶ硬化樹脂２４をコア形成部２３の他の部分に押し出し、押圧装置１５の移動方向に充填していく。その後、コア形成ユニット１１を取り出し、ＵＶ照射にて液状ＵＶ硬化樹脂２４を硬化させる。【選択図】        図３
2005062368.tif 000002
【特許請求の範囲】
【請求項１】
凹状のコア形成部を有するコア型とクラッド層を含む基板とで閉ざされた空間に液状樹脂を充填し、コアとクラッドからなる複数の導光路を製造する導光路の製造装置であって、
前記コア形成部の任意箇所のコア断面積を順次変化させながら前記液状樹脂を前記コア型に充填することを特徴とする導光路の製造装置。
【請求項２】
前記コア型の変形にて前記コア断面積を変化させることを特徴とする請求項１記載の導光路の製造装置。
【請求項３】
前記基板の変形にて前記コア断面積を変化させることを特徴とする請求項１記載の導光路の製造装置。
【請求項４】
前記コア型と前記基板の両方の変形にて前記コア断面積を変化させることを特徴とする請求項１記載の導光路の製造装置。
【請求項５】
前記コア型または前記基板の少なくとも一方は可撓性の材料であることを特徴とする請求項１記載の導光路の製造装置。
【請求項６】
任意の箇所の前記コア断面積を押圧力にて順次変化させることを特徴とする請求項１記載の導光路の製造装置。
【請求項７】
前記コア型又は前記基板の背面であって前記コア形成部でない側を固定し、相対する側には任意の箇所に機械的な押圧力を順次発生する機構を設けたことを特徴とする請求項６記載の導光路の製造装置。
【請求項８】
前記コア型又は前記基板の背面であって前記コア形成部でない側を固定し、相対する側には任意の箇所に空圧力を順次発生する機構を設けたことを特徴とする請求項６記載の導光路の製造装置。
【請求項９】
任意の箇所の前記コア断面積を磁力にて順次変化させるようにしたことを特徴とする請求項１記載の導光路の製造装置。
【請求項１０】
前記コア型又は前記基板の背面であって前記コア形成部でない側に可撓性の磁性体を配置し、相対する側には任意の箇所に磁力を順次発生する機構を設けたことを特徴とする請求項９記載の導光路の製造装置。
【請求項１１】
前記コア型又は前記基板のどちらかを可撓性材料に磁性体粉末を含有させた構造とし、相対する側には任意の箇所に磁力を順次発生する機構を設けたことを特徴とする請求項９記載の導光路の製造装置。
【請求項１２】
凹状のコア形成部を有するコア型とクラッド層を含む基板とで閉ざされた空間に液状樹脂を充填し、コアとクラッドからなる複数の導光路を製造する導光路の製造方法であって、
前記コア形成部の任意箇所のコア断面積を順次変化させながら前記液状樹脂を前記コア型に充填することを特徴とする導光路の製造方法。
【請求項１３】
前記コア型の変形にて前記コア断面積を変化させることを特徴とする請求項１２記載の導光路の製造方法。
【請求項１４】
前記基板の変形にて前記コア断面積を変化させることを特徴とする請求項１２記載の導光路の製造方法。
【請求項１５】
前記コア型と前記基板の両方の変形にて前記コア断面積を変化させることを特徴とする請求項１２記載の導光路の製造方法。
【請求項１６】
前記コア型または前記基板の少なくとも一方は可撓性の材料であることを特徴とする請求項１２記載の導光路の製造方法。
【請求項１７】
任意の箇所の前記コア断面積を押圧力にて順次変化させることを特徴とする請求項１２記載の導光路の製造方法。
【請求項１８】
前記コア型又は前記基板の背面であって前記コア形成部でない側を固定し、相対する側には任意の箇所に機械的な押圧力を順次発生する機構を設けたことを特徴とする請求項１７記載の導光路の製造方法。
【請求項１９】
前記コア型又は前記基板の背面であって前記コア形成部でない側を固定し、相対する側には任意の箇所に空圧力を順次発生する機構を設けたことを特徴とする請求項１７記載の導光路の製造方法。
【請求項２０】
任意の箇所の前記コア断面積を磁力にて順次変化させるようにしたことを特徴とする請求項１２記載の導光路の製造方法。
【請求項２１】
前記コア型又は前記基板の背面であって前記コア形成部でない側に可撓性の磁性体を配置し、相対する側には任意の箇所に磁力を順次発生する機構を設けたことを特徴とする請求項２０記載の導光路の製造方法。
【請求項２２】
前記コア型又は前記基板のどちらかを可撓性材料に磁性体粉末を含有させた構造とし、相対する側には任意の箇所に磁力を順次発生する機構を設けたことを特徴とする請求項２０記載の導光路の製造方法。
【発明の詳細な説明】
【技術分野】
【０００１】
本発明は、光伝送用の導波路アレイ、液晶表示パネル、リアプロジェクタ用の拡大光学系、ＬＥＤアレイプリントヘッドの導光路などの導光路の製造装置及びその製造方法に関する。
【背景技術】
【０００２】
近年、情報通信の大容量・高速化に伴い、光学技術を活用したデバイスや装置の開発が進められている。光通信技術などにおける基本光学素子としては導光路（光導波路）を用いたデバイスが挙げられる。導光路は屈折率の高いコアと屈折率の低いクラッドからなり、コアに通した光信号によって情報を伝搬することができる。
ところで、光学素子として用いる場合、信号線の利用状況に対応して複数の導光路を並設して形成する場合があるが、複数の導光路を同時に製造するときに隣接するコアが繋がってしまうという問題が従来からあった。これを解決するための技術としては、以下に示すようないくつかの技術が知られている。
まず、一般的な方法について、ここの例ではＵＶ硬化樹脂を用いたプラスチック光伝送路アレイの製造方法を示す。図７に示すように、溝加工が施されたクラッド基板（下部クラッド）の溝にＵＶ硬化樹脂を充填し、上部クラッド板を圧着後、ＵＶ光を照射して硬化させる。これにより複数の導光路を形成している。
また、特開２０００−３５５２４公報の光導波路およびその製造方法では、図８のように、コア材料の光硬化性樹脂の硬化波長を透過する基板上にクラッドを製膜し、さらにクラッド上に金属製遮光膜を製膜し、遮光膜に開口を形成した後、未硬化の光硬化性コア樹脂を製膜し、基板側から光照射して開口部に相当するコア樹脂を選択的に硬化させてから、遮光膜と未硬化コア樹脂を除去し、最後に上部クラッド層を配することで光導波路を形成している。
また、特許３００５１０９号公報に開示された表面に凹凸パターンを有する樹脂成形品の製造方法、スタンパ用原盤の製造方法、及び樹脂成形品の製造装置では、内部の圧力を制御する手段を有するチャンバーの内部に、未硬化の液状樹脂とセルとを配置し、該チャンバー内部を減圧した後、セルの注入口を未硬化の液状樹脂で塞ぎ、その後、チャンバー内部の減圧状態を解除することでキャビティ内に未硬化の液状樹脂を充填している。
また、Advanced Materials誌（vol.8 No.5 pp.420-424(1996)）で紹介されている技術では、毛細管現象を利用し、材料粘度３００ｃＰ、温度１２５℃、断面積３×１．１μｍの条件で１２時間あたり１ｃｍの充填速度によって形成している。
【特許文献１】特開２０００−３５５２４公報
【特許文献２】特許３００５１０９号
【非特許文献１】Advanced Materials誌（vol.8 No.5 pp.420-424(1996))
【発明の開示】
【発明が解決しようとする課題】
【０００３】
しかしながら、上述した従来の技術では製造時間が長くかかり、また、製造工程が多かった。そのため、コスト高になるという問題があった。
そこで、本発明は、上述の問題点を解決するためになされたもので、複数の導光路を短時間で正確に形成し、製造コストを低減することができる導光路の製造装置及びその製造方法を提供することを目的とする。
【課題を解決するための手段】
【０００４】
上述の問題点を解決するために、請求項１記載の発明では、凹状のコア形成部を有するコア型とクラッド層を含む平面基板とで閉ざされた空間に液状樹脂を充填し、コアとクラッドからなる複数の導光路を製造する導光路の製造装置であって、前記コア形成部の任意箇所のコア断面積を順次変化させながら前記液状樹脂を前記コア型に充填する導光路の製造装置を最も主要な特徴とする。
請求項２記載の発明では、前記コア型の変形にて前記コア断面積を変化させる導光路の製造装置を主要な特徴とする。
請求項３記載の発明では、前記基板の変形にて前記コア断面積を変化させる導光路の製造装置を主要な特徴とする。
請求項４記載の発明では、前記コア型と前記基板の両方の変形にて前記コア断面積を変化させる導光路の製造装置を主要な特徴とする。
請求項５記載の発明では、前記コア型または前記基板の少なくとも一方は可撓性の材料である導光路の製造装置を主要な特徴とする。
請求項６記載の発明では、任意の箇所の前記コア断面積を押圧力にて順次変化させる導光路の製造装置を主要な特徴とする。
請求項７記載の発明では、前記コア型又は前記基板の背面であって前記コア形成部でない側を固定し、相対する側には任意の箇所に機械的な押圧力を順次発生する機構を設けた導光路の製造装置を主要な特徴とする。
【０００５】
請求項８記載の発明では、前記コア型又は前記基板の背面であって前記コア形成部でない側を固定し、相対する側には任意の箇所に空圧力を順次発生する機構を設けた導光路の製造装置を主要な特徴とする。
請求項９記載の発明では、任意の箇所の前記コア断面積を磁力にて順次変化させるようにした導光路の製造装置を主要な特徴とする。
請求項１０記載の発明では、前記コア型又は前記基板の背面であって前記コア形成部でない側に可撓性の磁性体を配置し、相対する側には任意の箇所に磁力を順次発生する機構を設けた導光路の製造装置を主要な特徴とする。
請求項１１記載の発明では、前記コア型又は前記基板のどちらかを可撓性材料に磁性体粉末を含有させた構造とし、相対する側には任意の箇所に磁力を順次発生する機構を設けた導光路の製造装置を主要な特徴とする。
請求項１２記載の発明では、凹状のコア形成部を有するコア型とクラッド層を含む平面基板とで閉ざされた空間に液状樹脂を充填し、コアとクラッドからなる複数の導光路を製造する導光路の製造方法であって、
前記コア形成部の任意箇所のコア断面積を順次変化させながら前記液状樹脂を前記コア型に充填する導光路の製造方法を主要な特徴とする。
請求項１３記載の発明では、前記コア型の変形にて前記コア断面積を変化させる導光路の製造方法を主要な特徴とする。
請求項１４記載の発明では、前記基板の変形にて前記コア断面積を変化させる導光路の製造方法を主要な特徴とする。
請求項１５記載の発明では、前記コア型と前記基板の両方の変形にて前記コア断面積を変化させる導光路の製造方法を主要な特徴とする。
【０００６】
請求項１６記載の発明では、前記コア型または前記基板の少なくとも一方は可撓性の材料である導光路の製造方法を主要な特徴とする。
請求項１７記載の発明では、任意の箇所の前記コア断面積を押圧力にて順次変化させる導光路の製造方法を主要な特徴とする。
請求項１８記載の発明では、前記コア型又は前記基板の背面であって前記コア形成部でない側を固定し、相対する側には任意の箇所に機械的な押圧力を順次発生する機構を設けた導光路の製造方法を主要な特徴とする。
請求項１９記載の発明では、前記コア型又は前記基板の背面であって前記コア形成部でない側を固定し、相対する側には任意の箇所に空圧力を順次発生する機構を設けた導光路の製造方法を主要な特徴とする。
請求項２０記載の発明では、任意の箇所の前記コア断面積を磁力にて順次変化させるようにした導光路の製造方法を主要な特徴とする。
請求項２１記載の発明では、前記コア型又は前記基板の背面であって前記コア形成部でない側に可撓性の磁性体を配置し、相対する側には任意の箇所に磁力を順次発生する機構を設けた導光路の製造方法を主要な特徴とする。
請求項２２記載の発明では、前記コア型又は前記基板のどちらかを可撓性材料に磁性体粉末を含有させた構造とし、相対する側には任意の箇所に磁力を順次発生する機構を設けた導光路の製造方法を主要な特徴とする。
【発明の効果】
【０００７】
請求項１〜７によれば、コア形成部の断面積を順次変化させて樹脂を押し出すようにして充填することができるので、複数の導光路を短時間で簡単に形成することができる。これにより、製造コストを低減することができる。また、樹脂の充填時にコア部から樹脂がはみ出すことがなく正確にコアを形成することができる。
請求項８によれば、コア形成部の断面積を順次変化させて樹脂を押し出すようにして充填することができるので、複数の導光路を短時間で簡単に形成することができる。これにより、製造コストを低減することができる。また、樹脂の充填時にコア部から樹脂がはみ出すことがなく正確にコアを形成することができる。また、ガスを使用しているので、構造が簡単になると共にコア型の摩耗等といった部品の劣化を防止できる。
請求項９及び１０によれば、コア形成部の断面積を順次変化させて樹脂を押し出すようにして充填することができるので、複数の導光路を短時間で簡単に形成することができる。これにより、製造コストを低減することができる。また、樹脂の充填時にコア部から樹脂がはみ出すことがなく正確にコアを形成することができる。また、外部から磁力にて変形力を与えているので、構造が簡単になると共にコア型の摩耗等といった部品の劣化を防止できる。
【０００８】
請求項１１によれば、コア形成部の断面積を順次変化させて樹脂を押し出すようにして充填することができるので、複数の導光路を短時間で簡単に形成することができる。これにより、製造コストを低減することができる。また、樹脂の充填時にコア部から樹脂がはみ出すことがなく正確にコアを形成することができる。また、外部から磁力にて変形力を与えているので、構造が簡単になると共にコア型の摩耗等といった部品の劣化を防止できる。
また、コア型全体が磁性粉を含有しているため、コア形成部近傍から直接に付勢力が作用するので、コア形成部の変形を効果的に制御することができる。また、コア型の加圧装置側の部分は変形量が小さいので疲労が少なく耐久性が向上する。
請求項１２〜１８によれば、コア形成部の断面積を順次変化させて樹脂を押し出すようにして充填することができるので、複数の導光路を短時間で簡単に形成することができる。これにより、製造コストを低減することができる。また、樹脂の充填時にコア部から樹脂がはみ出すことがなく正確にコアを形成することができる。
請求項１９によれば、コア形成部の断面積を順次変化させて樹脂を押し出すようにして充填することができるので、複数の導光路を短時間で簡単に形成することができる。これにより、製造コストを低減することができる。また、樹脂の充填時にコア部から樹脂がはみ出すことがなく正確にコアを形成することができる。また、ガスを使用しているので、構造が簡単になると共にコア型の摩耗等といった部品の劣化を防止できる。
【０００９】
請求項２０及び２１によれば、コア形成部の断面積を順次変化させて樹脂を押し出すようにして充填することができるので、複数の導光路を短時間で簡単に形成することができる。これにより、製造コストを低減することができる。また、樹脂の充填時にコア部から樹脂がはみ出すことがなく正確にコアを形成することができる。また、外部から磁力にて変形力を与えているので、構造が簡単になると共にコア型の摩耗等といった部品の劣化を防止できる。
請求項２２によれば、コア形成部の断面積を順次変化させて樹脂を押し出すようにして充填することができるので、複数の導光路を短時間で簡単に形成することができる。これにより、製造コストを低減することができる。また、樹脂の充填時にコア部から樹脂がはみ出すことがなく正確にコアを形成することができる。また、外部から磁力にて変形力を与えているので、構造が簡単になると共にコア型の摩耗等といった部品の劣化を防止できる。
また、コア型全体が磁性粉を含有しているため、コア形成部近傍から直接に付勢力が作用するので、コア形成部の変形を効果的に制御することができる。また、コア型の加圧装置側の部分は変形量が小さいので疲労が少なく耐久性が向上する。
【発明を実施するための最良の形態】
【００１０】
以下、図面により本発明の実施の形態を詳細に説明する。図１は本発明の実施の形態である導光路の製造装置及びその製造方法によって製造される導光路の斜視図である。導光路はクラッド１と、クラッド内に配した複数のコア２から構成されている。クラッド１とコア２は光学的性質が異なったＵＶ硬化樹脂であり、クラッド１がコア２を覆う構造になっている。この例では、０．０１ｍｍ×０．０１ｍｍ×２０ｍｍのコア２が５本形成されている。
導光路の加工工程は大きく分けて３つの工程からなっている。第１の工程では、図２（ａ）に示すように、ベース型３上に下側クラッド型４を載置することにより、この例では０．０１ｍｍ厚のＵＶ硬化樹脂から成る下側クラッド層（液状）５を形成し（スピンコートでも可）、ＵＶ照射にてＵＶ硬化樹脂である下側クラッド層５を硬化させる。第２の工程（図２（ｂ））では、下側クラッド層５上に、コア型６（下面に空所としてのコア形成部６ａを有する）をかぶせて、ＵＶ硬化樹脂である液状樹脂７をコア型６内の空所内に充填させて下側クラッド層５上にコア７を形成し、ＵＶ照射にてＵＶ硬化樹脂を硬化させる。第３の工程（図２（ｃ））では、上側クラッド型８にてこの例では０．０３ｍｍ厚の上側クラッド層（液状のＵＶ硬化樹脂）９を形成し（スピンコートでも可）、ＵＶ照射にてＵＶ硬化樹脂を硬化させる。なお、本発明の実施の形態は上述の第２の工程におけるコア形成方法に関するものである。
【００１１】
図３（ａ）及び（ｂ）は第１の実施の形態としての導光路の製造装置の正面断面図、及び側部断面図である。この導光路の製造装置は本体１０とコア形成ユニット１１とからなる。本体１０は上面に凹所を備えた支持台１２、加圧装置１３、加圧装置１３を昇降させる際のガイドとなるガイド１４、コア型２２を押圧する押圧装置１５を備えている。なお、装置内は減圧可能なチャンバ構造となっている。支持台１２にはコア形成ユニット１１が設置され、その上に加圧装置１３が配される。加圧装置１３は、ガイド１４に沿って降下することでコア形成ユニット１１を加圧する。加圧装置１３とコア形成ユニット１１の間に押圧装置１５が配設される。押圧装置１５はこの例では径が０．１ｍｍの棒状の部材でコア形成ユニット１１の一部に押圧力を与えるためのものである。
一方、コア形成ユニット１１は、厚さ１ｍｍのガラス製で平坦な基板２０と、その上に形成された下側クラッド２１と、厚さ１ｍｍで可撓性（シリコーンゴム、スチレンブタジエンゴム等）のコア型２２から成っている。コア型２２の下面には溝状のコア形成部２３が５つ形成されている。
【００１２】
このように構成された導光路の製造装置における導光路の製造方法について説明する。まず、本体１０内にコア形成ユニット１１を配置する。そして、コア断面側に接するように未硬化の液状ＵＶ硬化樹脂２４を配置し、加圧装置１３でコア形成ユニット１１に１００〜１０００ｋＰａ、望ましくは２００ｋＰａの予圧を与える。予圧を与えるのは、液状ＵＶ硬化樹脂２４の充填動作時に樹脂圧力にてコア型２２が変形してコア部間へ樹脂がはみ出すことを防止するためである。
そして、コア部の空気を抜くため装置内を減圧する。減圧しないと樹脂が完全充填し難くなり、コア内に空気が残留してしまうからである。その後、押圧装置１５を矢印方向に毎秒１０ｍｍ程度の送り速度で移動させる。これにより、コア型２２の変形部を連続的に移動させてコア形成部２３の断面積を順次変化させていく。
この結果、ポンピング作用（断面積が小さくなることで圧力差が発生し他の部分に押し出される効果）によって、樹脂が押圧装置１５の移動方向に押し出され充填される。摺動動作は液状ＵＶ硬化樹脂２４がコア形成部２３内に充填されるまで何度か繰り返してもよい。なお、この時のコア部断面積の変化は１０％程度である。そして、コア形成ユニット１１を取り出し、ＵＶ照射にて液状ＵＶ硬化樹脂２４を硬化させる。
したがって、第１の実施の形態の導光路の製造装置とこれを用いた導光路の製造方法では、液状ＵＶ硬化樹脂２４の充填時にコア部から樹脂がはみ出すことがなく正確にコアを形成することができる。また、複数の導光路を短時間で簡単に形成することができる。これにより、製造コストを低減することができる。
なお、実施例ではコア型２２の材質を可撓性としているが、基板２０に可撓性材料を使用し、基板を順次変形させながら樹脂を充填させても構わない。コア材料の選択肢が増える効果がある。また、コア型２２と基板２０の両方を変形させて樹脂を充填するようにしてもよい。
【００１３】
次に、本発明の第２の実施の形態としての導光路の製造装置及びその製造方法について、図４（ａ）（ｂ）に示した正面断面図、及び側部断面図に基づいて説明する。なお、第１の実施の形態と同様の部分についての説明は省略する。構造上の同一部分には同一符号を付けている。第１の実施の形態と異なるところは空圧力によってコア型２２を変形させる点である。そのため、加圧装置１５（図３）の代わりに複数の幅広の通気口３１が穿設された加圧装置３０を備え、圧縮ガスを注入できるようになっている。
図４に示すように、圧縮ガスを注入する位置（通気孔３１）を少しずつずらしてコア型２２の変形部が連続的に移動するようにする。このときの圧縮ガスは１００〜１０００ｋＰａ、望ましくは５００ｋＰａである。コア型２２の変形を連続的に移動させてコア形成部２３の断面積を順次変化させていく。この結果、液状ＵＶ硬化樹脂２４がガス注入位置の移動方向に押し出され充填される。
したがって、第１の実施の形態と同様の効果を奏することができる。また、ガスを使用しているので、構造が簡単になると共にコア型２２の摩耗等といった部品の劣化を防止できる。
【００１４】
次に、図５に示した正面断面図及び側部断面図に基づいて第３の実施の形態としての導光路の製造装置及びその製造方法について説明する。なお、第１の実施の形態と同様の部分についての説明は省略する。構造上の同一部分には同一符号を付けている。第１の実施の形態と異なるところは磁力によってコア型２２を変形させる点である。そのため、図５のように、加圧装置４０の下側であってコア型２２の上側に可撓性の吸引板４１を配し、支持台４３の下側に磁力発生部材（磁石）４２を配している。また、支持台４３、加圧装置４０は固定台４４によって支持されている。
吸引板４１は０．１ｍｍ厚で可撓性の磁性体である。吸引板４１はこの例では鉄製であるが、可撓性の磁性体であれば例えばステンレスなどであってもよい。磁力発生部材４２と対向する部分の吸引板４１は磁力発生部材４２の磁力によって吸引されて支持台１２側へ凸状に変形し、これに伴いコア型２２が変形する。
磁力発生部材４２を図の向きに移動させることでコア型２２の変形部を連続的に移動させることができるので、コア形成部２３の断面積を順次変化させることができる。この結果、液状ＵＶ硬化樹脂２４が磁力発生部材４２の移動方向に押し出されコア形成部２３（空所）内に充填される。なお、加圧装置４０及び基板２０には非磁性材料を使用している。
したがって、第１の実施の形態と同様の効果を奏することができる。また、外部から磁力にて変形力を与えているので、構造が簡単になると共にコア型２２の摩耗等といった部品の劣化を防止できる。また、磁力発生部材４２に永久磁石を利用すれば、装置がいっそう簡易な構造となる。
【００１５】
次に、図６に示した正面縦断面図、及び側部縦断面図に従って第４の実施の形態としての導光路の製造装置及びその製造方法について説明する。なお、第１の実施の形態と同様の部分についての説明は省略する。構造上の同一部分には同一符号を付けている。第１の実施の形態と異なるところは磁力によってコア型４５を変形させる点であり、コア型４５自体が変形するようになっている。第３の実施形態との一つの違いは、吸引板４１の有無である。
図６に示すように、加圧装置４０の下側に配されるコア型４５は磁性粉（ステンレス、鉄粉等）又は磁性方向を均一に配置した磁粉を含有（３０ｗｔ％）した可撓性材料を使用している。また、支持台４３の下側には磁力発生部材４２が配され、支持台４３、加圧装置４０は固定台４４によって支持されている。
磁力発生部材４２と対向する部分のコア型４５は磁力発生部材４２の磁力によって吸引されて支持台４３側へ凸状に変形し、これに伴いコア型４５が変形する。磁力発生部材４２を図の向きに移動させることでコア型４５の変形部を連続的に移動させることができるので、コア形成部２３の断面積を順次変化させることができる。この結果、液状ＵＶ硬化樹脂２４が磁力発生部材４２の移動方向に押し出されコア形成部２３内に充填される。なお、加圧装置４０及び基板２０には非磁性材料を使用している。
したがって、第１の実施の形態と同様の効果を奏することができる。また、外部から磁力にて変形力を与えているので、構造が簡単になると共にコア型２２の摩耗等といった部品の劣化を防止できる。また、磁力発生部材４２に永久磁石を利用すれば、装置がいっそう簡易な構造となる。
また、コア型４５全体が磁性粉を含有しているため、コア形成部２３近傍から直接に付勢力が作用するので、コア形成部２３の変形を効果的に制御することができる。また、コア型４５の加圧装置４０側の部分は変形量が小さいので疲労が少なく耐久性が向上する。
【図面の簡単な説明】
【００１６】
【図１】導光路の斜視図。
【図２】導光路の加工工程を説明する図。
【図３】第１の実施の形態としての導光路の製造装置の断面図。
【図４】第２の実施の形態としての導光路の製造装置の断面図。
【図５】第３の実施の形態としての導光路の製造装置の断面図。
【図６】第４の実施の形態としての導光路の製造装置の断面図。
【図７】導光路の一般的な製造方法を説明する図。
【図８】遮光膜と光硬化性樹脂を用いた導光路の製造方法を説明する図。
【符号の説明】
【００１７】
１  クラッド
２  コア
１０  本体
１１  コア形成ユニット
１２  支持台
１３、３０、４０  加圧装置
１４  ガイド
１５  押圧装置
２０  基板
２１  下側クラッド
２２、４５  コア型
２３  コア形成部
２４  液状ＵＶ硬化樹脂
３１  通気口
４１  吸引板
４２  磁力発生部材
４３  支持台
４４  固定台
【図１】
2005062368.tif 000003
【図２】
2005062368.tif 000004
【図３】
2005062368.tif 000005
【図４】
2005062368.tif 000006
【図５】
2005062368.tif 000007
【図６】
2005062368.tif 000008
【図７】
2005062368.tif 000009
【図８】
2005062368.tif 000010